(57)【要約】【課題】  着座しながら楽な姿勢で発音でき、当該発音操作を容易且つ気軽に行うことができる椅子を提供すること。【解決手段】  上面１７Ａを座部として形成するとともに、発音可能に設けられた中空形状の発音体１２と、発音体１２の前方に設けられて着座者Ｐの前方に位置する操作部１３とを備えて椅子１０が構成されている。操作部１３は、発音体１２から上方に延びる板状体１９と、発音体１２及び板状体１９の前面側に張設された複数本の弦２０とを備えている。着座者Ｐが各弦２０を振動させる操作を行うことにより、発音体１２から音を生じさせたり当該音の大きさや音色を変化させることができる。【選択図】      図１
2007065022.tif 000002
【特許請求の範囲】
【請求項１】
所定高さに位置する座部と、この座部の下方に配置されて発音する発音体と、この発音体に連設されて着座者の前方に位置するとともに、着座者により発音体から生じる音を操作可能に設けられた操作部とを備えていることを特徴とする椅子。
【請求項２】
前記発音体は、床面上に載置される設置部と、この設置部に連設されて座部を前記所定高さに支持する支持部とを備えていることを特徴とする請求項１記載の椅子。
【請求項３】
前記発音体は、中空形状に設けられている一方、前記操作部は、発音体内の空気を振動させる振動体を含んでいることを特徴とする請求項１又は２記載の椅子。
【請求項４】
前記操作部は、発音体から上方に延びる板状体を更に含み、前記振動体は、発音体及び板状体の前面側に張設された複数本の弦により構成されていることを特徴とする請求項３記載の椅子。
【請求項５】
前記板状体は、その延出方向が湾曲するように変形可能に設けられていることを特徴とする請求項４記載の椅子。
【請求項６】
前記発音体は、前方で打面を形成する膜体と、この膜体を張設して当該膜体の打撃音を共鳴させる共鳴体とを備え、前記操作部は、膜体の張力を変化可能に設けられていることを特徴とする請求項１又は２記載の椅子。
【請求項７】
前記発音体は、ホーン状に形成されている一方、前記操作部は、一端側が発音体に連通し、他端側で吹き口を形成する管状に設けられていることを特徴とする請求項１又は２記載の椅子。
【請求項８】
前記操作部は、その長さを調整可能に設けられていることを特徴とする請求項７記載の椅子。
【発明の詳細な説明】
【技術分野】
【０００１】
本発明は、椅子に係り、更に詳しくは、着座者の操作によって音を生じさせることができる椅子に関する。
【背景技術】
【０００２】
従来より、音を発する椅子として、特許文献１に開示されたものが知られている。同文献の椅子は、座部と、この座部に設けられたスイッチと、このスイッチに接続された電子オルゴール等からなる発音装置と、この発音装置に接続されるスピーカとを備えて構成されている。このような構成では、ユーザが座部に着座することにより、スイッチが押されて発音装置が作動し、スピーカからメロディ等が発せられるようになっている。
【０００３】
【特許文献１】実開平５−６０３５１号公報
【発明の開示】
【発明が解決しようとする課題】
【０００４】
しかしながら、特許文献１の椅子にあっては、着座することによりスイッチが押されるので、ユーザが立ったり座ったりするタイミングだけで発音を制御することとなり、当該制御に多大な体力を要するという不都合がある。しかも、座部に座りながら音色や音高を調整する等の操作が行えなくなり、発音やその操作に対する興味や楽しみを付与し難くなる、という不都合も招来する。
【０００５】
［発明の目的］
本発明は、このような不都合に着目して案出されたものであり、その目的は、着座しながら楽な姿勢で発音することができる椅子を提供することにある。
また、本発明の他の目的は、発音させるための操作を容易且つ気軽に楽しむことができる椅子を提供することにある。
【課題を解決するための手段】
【０００６】
前記目的を達成するため、本発明は、所定高さに位置する座部と、この座部の下方に配置されて発音する発音体と、この発音体に連設されて着座者の前方に位置するとともに、着座者により発音体から生じる音を操作可能に設けられた操作部とを備える、という構成が採用されている。
【０００７】
本発明において、前記発音体は、床面上に載置される設置部と、この設置部に連設されて座部を前記所定高さに支持する支持部とを備える、という構成が好ましくは採用される。
【０００８】
また、前記発音体は、中空形状に設けられている一方、前記操作部は、発音体内の空気を振動させる振動体を含む、という構成を採ることが好ましい。
【０００９】
更に、前記操作部は、発音体から上方に延びる板状体を更に含み、前記振動体は、発音体及び板状体の前面側に張設された複数本の弦により構成されるとよい。
【００１０】
また、前記板状体は、その延出方向が湾曲するように変形可能に設けられる、という構成も採ることができる。
【００１１】
更に、前記発音体は、前方で打面を形成する膜体と、この膜体を張設して当該膜体の打撃音を共鳴させる共鳴体とを備え、前記操作部は、膜体の張力を変化可能に設けられる、という構成も好ましくは採用される。
【００１２】
また、前記発音体は、ホーン状に形成されている一方、前記操作部は、一端側が発音体に連通し、他端側で吹き口を形成する管状に設けられる、という構成を採用することができる。
【００１３】
更に、前記操作部は、その長さを調整可能に設けることが好ましい。
【００１４】
なお、本明細書及び特許請求の範囲における方向若しくは位置を示す用語は、椅子を正面視した場合すなわち図１、図３及び図４中矢印Ａ方向から見た場合を基準とし、「前」とは、矢印Ａ方向から見た場合の手前側を示す一方、「後」とは、同奥行き側について用いられる。
【発明の効果】
【００１５】
本発明によれば、着座者が座部に座りながら操作部の操作を手等により容易に行えるようになり、体力的に大きな負担を伴うことなく発音体から生じる音の高さや音色をバリエーション豊かに変化させることが可能となる。これにより、椅子に着座したときに、楽器を演奏するように楽しみながら発音でき、当該発音及びその操作に興味や関心をもつように自然に促すことが可能となる。しかも、操作部に対して着座者が上半身を前方にもたれ掛けることができ、リラックスした楽な姿勢で操作部を操作することが可能となる。
【００１６】
また、設置部と、座部を支持する支持部とを発音体が備えているから、恰も楽器を変形して当該楽器の一部に着座可能とした外観を呈するようになり、アミューズメント性を高めて発音操作をより促進させることが可能となる。
【００１７】
更に、発音体を中空形状とし、且つ、操作部が振動体を含んでいるので、振動体を振動させることにより、当該振動を発音体内で共鳴して発音させることができる。これにより、電気的に大掛かりな装置や設備を不要として構成の簡略化やセッティング作業の容易化を図ることが可能となる。また、振動体を振動させる力加減を変えることにより、発音の変化を微調整して種々の音色を奏することが可能となる。
【００１８】
また、板状体と、複数本の弦からなる振動体とにより操作部を構成したので、椅子をギター等の弦楽器のように形成することが可能となる。このとき、板状体を湾曲変形可能とすれば、当該変形により弦の張力を変化させて音高等を調整する操作を行うことができる。
【００１９】
更に、発音体が膜体及び共鳴体を備え、膜体の張力を操作部により変化可能としたから、椅子を膜鳴楽器のように形成して演奏することが可能となる。
【００２０】
また、発音体をホーン状に形成し、且つ、操作部が吹き口を有する管状に形成されるので、椅子を管楽器のように形成して演奏することが可能となる。このとき、操作部の長さを調整可能とすれば、トロンボーンと同様の原理により、発する音の高さを変化させる操作を行うことが可能となる。
【発明を実施するための最良の形態】
【００２１】
以下、本発明の好ましい実施の形態について図面を参照しながら説明する。
【００２２】
［第１実施形態］
図１には、第１実施形態に係る椅子の概略斜視図が示され、図２には、その使用状態を示す概略斜視図が示されている。これらの図において、椅子１０は、クラシックギターやフォークギターを変形させたような構造となっており、円柱状の外観を呈する発音体１２と、この発音体１２の前方に連設された操作部１３とを備えて構成されている。
【００２３】
前記発音体１２は、床面上に載置される設置部としての下壁部１５と、この下壁部１５の外周側に連設されるとともに、上下方向に向けられた円筒状をなす支持部としての周壁部１６と、この周壁部１６の上端側で所定高さ位置に支持されるとともに、略水平方向に沿って位置する上壁部１７とを備えた中空形状に設けられている。周壁部１６の前面側には、略円形をなす穴１６Ａが形成され、この穴１６Ａにより発音体１２の内外が通じるようになっている。図２に示されるように、上壁部１７の上面１７Ａにおいて着座者Ｐが着座可能となっており、ここにおいて、前記上面１７Ａにより座部が構成され、当該座部の下方に発音体１２が配置される。
【００２４】
前記操作部１３は、発音体１２における穴１６Ａの上方に取り付けられて上方に延びる板状体１９と、この板状体１９及び発音体１２の前面側に張設された振動体を構成する複数本（本実施形態では３本）の弦２０と、板状体１９の上部に設けられるとともに、前記弦２０の上部領域を支持する糸巻き２１Ａを備えたヘッド部２１と、発音体１２における穴１６Ａの下方に設けられて各弦２０の下端側を支持するブリッジ部２２とを備えて構成されている。板状体１９は、その延出方向が湾曲して上端側が揺動するように弾性変形可能な材質により構成されている。各弦２０は、糸巻き２１Ａ及びブリッジ部２２を介して所定の張力に保たれており、着座者Ｐにより弾く操作を行うことで振動するようになっている。
【００２５】
以上の構成において、発音体１２における上面１７Ａに着座者Ｐが着座すると、当該着座者Ｐの前方に操作部１３が位置し、この操作部１３を操作することで発音体１２から発音することができる。具体的には、着座者Ｐが手により弦２０を弾くことにより当該弦２０を振動させ、この振動が発音体１２の内部で共鳴して当該発音体１２から音を生じさせることができる。このとき、振動している弦２０に触れて振動を停止すれば音も停止し、弦２０を弾く力加減を変えることにより発音の音量を調整することが可能となる。また、弦２０が振動している最中に、板状体１９を湾曲変形させる操作を行うと、各弦２０の張力が変化して発音体１２から生じる音の高さや音色を調整することが可能となる。なお、着座者Ｐが板状体１９の後面側に上半身をもたれ掛けてもよく、この場合、もたれ掛ける力を変化させることで、板状体１９の変形量を調整することができる。
【００２６】
従って、このような第１実施形態によれば、着座しながら発音体１２から生じる音の高さや音量等を容易に操作することができ、着座者Ｐに発音やその操作に対する興味を気軽に持たせることが可能となる。また、クラシックギターに類似した原理により発音するので、恰も楽器を演奏するような感覚を着座者Ｐに付与することができ、発音を自然且つバリエーション豊かに楽しむことができる。更に、着座者Ｐの上半身を操作部１３にもたれ掛けることができるので、リラックスしながら発音を行えるようになる。
【００２７】
［第２実施形態］
次に、本発明の第２実施形態について説明する。図３には、第２実施形態に係る椅子の概略斜視図が示されている。この図において、椅子３０は、所定高さに位置する円盤状の座部３１と、この座部３１の下方に配置されるとともに、前後に延びる円柱状の外観を呈する発音体３２と、この発音体３２の前方に設けられた操作部３３とを備え、バスドラムや太鼓等の膜鳴楽器を利用したような形態をなしている。
【００２８】
前記発音体３２は、床面上に載置されるとともに、前後方向に向けられた円柱状をなす共鳴体３５と、この共鳴体３５の前端側にリム３６を介して張設されるとともに、前方で打面３７Ａを形成する膜体３７とを備えて構成されている。膜体３７は、座部３１に着座した者が手や足により打面３７Ａを打撃可能に設けられ、この打撃により振動して打撃音を発する。この打撃音は、共鳴体３５の内部で共鳴されて音量が増幅される。共鳴体３５の後方における左右両側には、床面上に位置する一対の脚部３８，３８が設けられている。ここにおいて、共鳴体３５における床面載置領域及び脚部３８，３８により設置部が構成され、前記床面載置領域より上方に位置する共鳴体３５が前記座部３１を支持する支持部として構成される。
【００２９】
前記操作部３３は、上下に延びる棒状部材により形成されている。操作部３３は、その上部領域が座部３１に着座した者の前方に位置する一方、下部領域が前記リム３６に連結されている。操作部３３は、着座者が上部領域を傾斜させるように操作することでリム３６を変形可能に設けられている。この変形によって、膜体３７の張力が変化し、発音体３２から生じる打撃音の高さや大きさ等を調整可能となっている。なお、操作部３３の上端側には、着座者が手等により叩くことで音を発する打楽器部３９が設けられている。
【００３０】
従って、このような第２実施形態によれば、第１実施形態と発音形態は異なるものの同様の効果を得ることができる。すなわち、座部３１に着座しながら、打面３７Ａを叩いて発音したり、当該発音の高さ等を操作部３３を介して操作したりすることができ、膜鳴楽器を演奏するように発音を気軽に楽しんだり、着座者に発音操作を自然に促すことが可能となる。
【００３１】
［第３実施形態］
図４には、第３実施形態に係る椅子の概略斜視図が示されている。この図において、椅子４０は、らっぱ状の管楽器を利用したような形態をなしており、四本の脚部４１を介して所定高さに支持された座部４２と、この座部４２の下方に配置されるとともに、前方に向かうに従って拡開するホーン状に形成された発音体４３と、この発音体４３に一端側（下端側）が連通する管状の操作部４４とを備えて構成されている。
【００３２】
前記操作部４４は、発音体４３の後端側に連なって上方に延びる湾曲管部４６と、この湾曲管部４６の上端側に挿入されて上下方向に延びるとともに、前記座部４２への着座者前方に位置する挿入管部４７と、この挿入管部４７の上端に連なって操作部４４の他端側を形成するループ状管部４８と、このループ状管部４８に形成された吹き口４９とを備えている。挿入管部４７は、上下に移動可能に設けられており、これにより、操作部４４全体の長さを調整可能となる。また、吹き口４９は、トランペットやトロンボーンに用いられるマウスピースと略同様の構造をなし、所定の吹奏方法によって発音体４３からの発音及びその発音の調整操作を行えるようになっている。
【００３３】
従って、このような第３実施形態によれば、座部４２に座って着座者の前方に位置する吹き口４９を吹くことにより種々の音色の発音を行うことができ、この状態で上半身を上下させて挿入管部４７を上下動し、操作部４４の長さを変えることによって、恰もトロンボーンのように音の高さを調整して演奏することが可能となる。
【００３４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【図面の簡単な説明】
【００３５】
【図１】第１実施形態に係る椅子の概略斜視図。
【図２】図１の使用状態を示す説明図。
【図３】第２実施形態に係る椅子の概略斜視図。
【図４】第３実施形態に係る椅子の概略斜視図。
【符号の説明】
【００３６】
１０，３０，４０・・・椅子、１２，３２，４３・・・発音体、１３，３３，４４・・・操作部、１５・・・下壁部（設置部）、１６・・・周壁部（支持部）、１７Ａ・・・上面（座部）、１９・・・板状体、２０・・・弦（振動体）、３１，４２・・・座部、３５・・・共鳴体、３７・・・膜体、３７Ａ・・・打面、４９・・・吹き口、Ｐ・・・着座者
【図１】
2007065022.tif 000003
【図２】
2007065022.tif 000004
【図３】
2007065022.tif 000005
【図４】
2007065022.tif 000006